(57)【要約】【課題】調剤された各薬を患者が服用する場合に薬の服用時期、その種類、用量を容易に確認できるようにする。【解決手段】薬管理装置１は、調剤された各薬の服用に関する情報とその各薬を撮影した薬の撮影画像を対応付けて記憶する服薬台帳１３ｃ、画像メモリ１３ｄを備え、この服薬台帳１３ｃの内容に基づいて作成した服用スケジュールと現在の日時情報とを照合して服用時間帯であるか否かを判別し、服用時間帯であれば、服用する薬毎にその種類と用量を画像によって通知する。【選択図】  図２
2015118444.tif 000002
【特許請求の範囲】
【請求項１】
調剤薬局又は医療機関で調剤された各薬の服用に関する情報を記憶管理する患者側の薬管理装置であって、
前記調剤された各薬の服用に関する情報とその各薬を撮影した薬の撮影画像を対応付けて記憶する薬情報記憶手段と、
前記薬情報記憶手段に記憶されている各薬の服用に関する情報に基づいて服用スケジュールを作成する作成手段と、
日時情報を計時する時計手段と、
前記作成手段によって作成された服用スケジュールと前記時計手段で計時された日時情報とを照合して服用時間帯であるか否かを判別する判別手段と、
前記判別手段によって服用時間帯であることが判別された場合に、服用する薬毎にその種類と用量を画像によって通知する通知手段と、
を備えたことを特徴とする薬管理装置。
【請求項２】
前記服用する薬毎にその種類と用量を示した画像を、前記各薬の服用に関する情報と前記各薬を撮影した撮影画像に基づいて生成する画像生成手段を更に備え、
前記通知手段は、服用する薬毎に前記画像生成手段によって生成された画像を通知する、
ことを特徴とする請求項１に記載の薬管理装置。
【請求項３】
前記患者所持の携帯端末装置に通信ネットワークを介して接続する通信手段を更に備え、
前記通知手段は、服用する薬毎にその種類と用量を示す画像を前記携帯端末装置に通知する、
ことを特徴とする請求項１又は請求項２に記載の薬管理装置。
【請求項４】
前記薬情報記憶手段は、各薬の服用に応じて更新される薬の残量を更に記憶し、
前記薬の残量が所定量以下となった場合に、その旨を前記携帯端末装置に送信する送信手段を更に備える、
ことを特徴とする請求項３に記載の薬管理装置。
【請求項５】
前記送信手段は、薬の残量が所定量以下となった場合に、その旨を調剤薬局又は医療機関側の端末装置に対して送信する、
ことを特徴とする請求項４に記載の薬管理装置。
【請求項６】
前記薬情報記憶手段は、異なる調剤薬局又は医療機関から発行された複数のお薬手帳を一元管理するめに入力された各お薬手帳の内容を記憶し、
前記作成手段は、前記薬情報記憶手段に一元管理されている複数のお薬手帳の内容に基づいて服用スケジュールを作成する、
ことを特徴とする請求項１〜請求項５のいずれか１項に記載の薬管理装置。
【請求項７】
調剤薬局又は医療機関で調剤された各薬の服用に関する情報を記憶管理する患者側の薬管理装置に通信ネットワークを介して接続可能な患者所持の携帯端末装置であって、
前記薬管理装置から服用時間帯に服用する薬毎にその種類と用量が画像によって通知された際に、その通知された画像を当該端末画面に表示させる第１の表示制御手段と、
薬を服用する際にその薬を撮影する撮影手段と、
前記撮影手段によって撮影された画像と前記薬管理装置から通知された画像とを照合して正しい服用であるか否かを判別する判別手段と、
前記判別手段による判別結果と服用すべき薬の画像を表示させる第２の表示制御手段と、
を備えたことを特徴とする携帯端末装置。
【請求項８】
薬毎にその服用量を前記薬管理装置に送信して薬毎の残量の更新を指示する更新指示手段を更に備える、
ことを特徴とする請求項７に記載の携帯端末装置。
【請求項９】
調剤薬局又は医療機関から発行されたお薬手帳を記憶管理する薬管理装置に対してお薬手帳の送信を要求してお薬手帳を受信するお薬手帳取得手段と、
前記お薬手帳取得手段によって受信したお薬手帳を調剤薬局又は医療機関側に提示するお薬手帳提示手段と、
を更に備える、
ことを特徴とする請求項７又は請求項８に記載の携帯端末装置。
【請求項１０】
調剤薬局又は医療機関で調剤された各薬の服用に関する情報を記憶管理する患者側の薬管理装置のコンピュータを制御するためのプログラムであって、
前記コンピュータを、
前記調剤された各薬の服用に関する情報とその各薬を撮影した薬画像を対応付けて記憶する薬情報記憶手段、
前記薬情報記憶手段に記憶されている各薬の服用に関する情報に基づいて服用スケジュールを作成する作成手段、
日時情報を計時する時計手段、
前記作成手段によって作成された服用スケジュールと前記時計手段で計時された日時情報とを照合して服用時間帯であるか否かを判別する判別手段、
前記判別手段によって服用時間帯であることが判別された場合に、服用する薬毎にその種類と用量を画像によって通知する通知手段、
として機能させるようにしたコンピュータ読み取り可能なプログラム。
【請求項１１】
調剤薬局又は医療機関で調剤された各薬の服用に関する情報を記憶管理する患者側の薬管理装置に通信ネットワークを介して接続可能な患者所持の携帯端末装置のコンピュータを制御するためのプログラムであって、
前記コンピュータを、
前記薬管理装置から服用時間帯に服用する薬毎にその種類と用量が画像によって通知された際に、その通知画像を当該端末画面に表示させる第１の表示制御手段、
薬を服用する際にその薬を撮影する撮影手段、
前記撮影手段によって撮影された服薬画像と前記薬管理装置からの通知画像とを照合して正しい服用であるか否かを判別する判別手段、
前記判別手段による判別結果と服用すべき薬の画像を表示させる第２の表示制御手段、
として機能させるようにしたコンピュータ読み取り可能なプログラム。
【発明の詳細な説明】
【技術分野】
【０００１】
本発明は、調剤薬局又は医療機関で調剤された各薬の服用に関する情報を記憶管理する患者側の薬管理装置、この薬管理装置に通信ネットワークを介して接続可能な患者所持の携帯端末装置及びプログラムに関する。
【背景技術】
【０００２】
一般に、患者は、調剤薬局や医療機関で調剤された薬を服用する場合に、各薬の名称、用法、用量を薬袋などの記載内容を確認しながら服用するようにしているが、薬袋から薬を出してしまった状態で薬の種類を確認しようとしても薬のパッケージの記載から確認するだけでは記載が小さいために見づらく見間違えの危険性があった。また、薬が薬袋に入れられたままの状態でもその用法や用量を見間違えの危険性もあった。このような間違えによって薬の相互作用（飲み合わせ）や大量服用という重大な問題が懸念される。そこで、従来では、調剤された薬を服用するタイミングを通知するようにした技術が知られている（特許文献１参照）。
【先行技術文献】
【特許文献】
【０００３】
【特許文献１】特開２００６−０７９５３６号公報
【発明の概要】
【発明が解決しようとする課題】
【０００４】
しかしながら、上述の特許文献の技術は、服用する薬を患者の生活パターンデータに応じて通知する技術であり、患者個々の生活パターンに合わせて薬の服用を通知することによって、薬を服用するタイミングについては適切に知ることができるが、薬の種類、用量などを文字列で案内する通知内容であるため、例えば、お年寄りや視力に問題のある人などでは、依然、見間違えの危険性が残ってしまう。そこで、例えば、予め用意されている薬のサンプル画像を併せて通知するようにすれば、可視的に分かり易くなり、薬の種類を間違える危険性を減らすことを期待することもできるが、更に薬の誤認混同をより適切に防ぐことが可能な技術が望まれている。
【０００５】
本発明の課題は、調剤された各薬を患者が服用する場合に薬の服用時期、その種類、用量を容易に確認できるようにすることである。
【課題を解決するための手段】
【０００６】
上述した課題を解決するために本発明の薬管理装置は、
調剤薬局又は医療機関で調剤された各薬の服用に関する情報を記憶管理する患者側の薬管理装置であって、
前記調剤された各薬の服用に関する情報とその各薬を撮影した薬の撮影画像を対応付けて記憶する薬情報記憶手段と、
前記薬情報記憶手段に記憶されている各薬の服用に関する情報に基づいて服用スケジュールを作成する作成手段と、
日時情報を計時する時計手段と、
前記作成手段によって作成された服用スケジュールと前記時計手段で計時された日時情報とを照合して服用時間帯であるか否かを判別する判別手段と、
前記判別手段によって服用時間帯であることが判別された場合に、服用する薬毎にその種類と用量を画像によって通知する通知手段と、
を備えたことを特徴とする薬管理装置である。
【０００７】
上述した課題を解決するために本発明の携帯端末装置は、
調剤薬局又は医療機関で調剤された各薬の服用に関する情報を記憶管理する患者側の薬管理装置に通信ネットワークを介して接続可能な患者所持の携帯端末装置であって、
前記薬管理装置から服用時間帯に服用する薬毎にその種類と用量が画像によって通知された際に、その通知画像を当該端末画面に表示させる第１の表示制御手段と、
薬を服用する際にその薬を撮影する撮影手段と、
前記撮影手段によって撮影された服薬画像と前記薬管理装置からの通知画像とを照合して正しい服用であるか否かを判別する判別手段と、
前記判別手段による判別結果と服用すべき薬の画像を表示させる第２の表示制御手段と、
を備えたことを特徴とする携帯端末装置である。
【発明の効果】
【０００８】
本発明によれば、調剤された各薬を患者が服用する場合に薬の服用時期、その種類、用量を容易に確認することができ、薬の相互作用や大量服用という重大な危険性を未然に防ぐことが可能となる。
【図面の簡単な説明】
【０００９】
【図１】患者側の薬管理装置１と患者所持の携帯端末装置２を通信ネットワークを介して接続した広域通信システム（薬管理システム）を示したブロック図。
【図２】患者側の薬管理装置１の基本的な構成要素を示したブロック図。
【図３】複数のお薬手帳からその記載内容を読み取って服薬台帳１３ｃに登録した状態を示した図。
【図４】（１）（２）は、調剤薬局や医療機関で調剤された各薬のパッケージ（１シート状のＰＴＰ包装）を撮影した薬画像（シート画像）を示した図。
【図５】服薬台帳１３ｃを説明するための図。
【図６】服用スケジュールテーブル１３ｅを説明するための図。
【図７】携帯端末装置２の基本的な構成要素を示したブロック図。
【図８】（１）は、薬管理装置１から受信した服薬通知を携帯端末装置２の端末画面に表示した状態を示した図、（２）は、服用する薬を撮影する様子を示した図、（３）は、画像の比較を例示した図。
【図９】電源投入に応じて実行開始される薬管理装置１の動作（本実施形態の特徴的な動作）を説明するためのフローチャート。
【図１０】電源投入に応じて実行開始される携帯端末装置２の動作（本実施形態の特徴的な動作）を説明するためのフローチャート。
【図１１】（１）は、服薬を間違えた場合の服薬通知の画面、（２）は、服薬が正して場合の服薬通知の画面した図。
【図１２】（１）、（２）は、実施形態の変形例を説明するための服薬通知の画面を示した図。
【発明を実施するための形態】
【００１０】
以下、図１〜図１１を参照して本発明の実施形態を説明する。
図１は、患者側の薬管理装置１と患者所持の携帯端末装置２を通信ネットワークを介して接続した広域通信システム（薬管理システム）を示したブロック図である。
薬管理システムは、患者側の薬管理装置１と患者所持の携帯端末装置２を、通信ネットワーク（インターネット３、無線通信網４）を介して接続可能な広域通信システムである。この薬管理システムを構成する患者側の薬管理装置１は、例えば、自宅などに設置されているノートパソコン（パーソナルコンピュータ）で、調剤薬局又は医療機関で調剤された各薬の服用に関する情報を記憶管理すると共に、その各薬の服用に関する情報に基づいて服用スケジュールを作成し、その服用スケジュールに合わせて薬の服用を患者所持の携帯端末装置２に通知する処理などを行うようにしている。患者所持の携帯端末装置２は、スマートフォンなどの携帯電話機であり、薬管理装置１から薬の服用を指示する服薬通知を受信してその通知内容を表示する処理などを行う。
【００１１】
図２は、患者側の薬管理装置１の基本的な構成要素を示したブロック図である。
薬管理装置１は、現在の日時を計時する時計機能、インターネット接続機能（Ｗｅｂアクセス機能）、文章作成機能、スキャナ機能、ＯＣＲ（Optical  Character  Recognition）機能など、各種の機能を有し、ＣＰＵ１１を中核とするもので、このＣＰＵ１１は、電源部１２からの電力供給によって動作し、記憶部１３内の各種のプログラムに応じてこの薬管理装置１の全体動作を制御する中央演算処理装置である。
【００１２】
記憶部１３は、例えば、ＲＯＭ、フラッシュメモリなどを有する構成で、後述する図９に示した動作手順に応じて本実施形態を実現するためのプログラムや各種のアプリケーションなどが格納されているプログラムメモリ１３ａ、ワークメモリ１３ｂ、後述する服薬台帳１３ｃ、薬を撮影した撮影画像を記録する画像メモリ１３ｄ、服用スケジュールテーブル１３ｅなどを有している。なお、記憶部１３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
ＣＰＵ１１には、その入出力デバイスとして操作部１４、表示部１５、広域通信部１６、スキャナ部１７が接続され、ＣＰＵ１１は、入出力プログラムにしだかってそれの動作を制御する。操作部１４は、押しボタン式の各種のキーとして、電源オン／オフキー、お薬手帳／お薬シールの登録を指示するキーなどを備え、ＣＰＵ１１は、この操作部１４から操作キーに対応して出力される入力操作信号に応じて、対応する処理を行う。表示部１５は、高精細液晶ディスプレイあるいは有機ＥＬ（Electro  Luminescence）ディスプレイである。広域通信部１６は、インターネットに接続可能な通信インターフェイスである。スキャナ部１７は、調剤薬局又は医療機関で発行されたお薬手帳（薬識手帳）を撮影したり、調剤された薬を撮影するもので、ＣＰＵ１１は、そのスキャナ画像を画像ファイルとして画像メモリ１３ｄに登録したり、お薬手帳の撮影画像を解析することによって文字認識してテキストデータに変換するＯＣＲ処理を行い、服薬台帳１３ｃに登録したりするようにしている。
【００１４】
図３は、複数のお薬手帳からその記載内容を読み取って服薬台帳１３ｃに登録した状態を示した図である。
図示の例は、○○調剤薬局で発行されたお薬手帳Ａ、○×調剤薬局で発行されたお薬手帳Ｂ、××調剤薬局で発行されたお薬シールＣの記載内容がスキャナ部１７で読み取られてＯＣＲ処理された後、服薬台帳１３ｃに登録された状態を示し、服薬台帳１３ｃには、お薬手帳Ａ、Ｂ、お薬シールＣの記載内容（各薬の服用に関する情報）が記憶管理される。すなわち、異なる調剤薬局又は医療機関から発行された複数のお薬手帳（薬識別手帳）を一元管理するめに入力された各薬の服用に関する情報は、服薬台帳１３ｃに順次記憶される。なお、お薬シールＣは、調剤薬局又は医療機関にお薬手帳を提示しなかった場合に発行されたもので、後でお薬手帳に貼り付けるためのシールである。
【００１５】
図４は、調剤薬局や医療機関で調剤された各薬のパッケージ（１シート状のＰＴＰ包装）を撮影した薬画像（シート画像）を示した図である。
調剤薬局や医療機関で調剤された各薬は、薬袋（図示省略）に収納されて渡されるが、自宅に戻った患者や親族などは、薬毎にそのパッケージ（１シート状のＰＴＰ包装）の全体をスキャナ部１７、カメラ装置（図示省略）などで撮影する。この各薬のパッケージ画像（薬画像：シート画像）がＳＤカードなどを介して入力されると、ＣＰＵ１１は、入力された各薬画像にファイル名として薬の名称などを付加した画像ファイルを作成し、服薬台帳１３ｃ内のお薬手帳に対応付けて画像メモリ１３ｄに登録するようにしている。なお、図示の例は、○○調剤薬局で発行されたお薬手帳Ａに対応付けて登録される各薬画像（シート画像）Ａ−１、Ａ−２を示している。図４（１）に示した薬画像Ａ−１は、薬剤名が“ａａ錠１００ｍｇ”の薬のシート画像（パッケージ画像）であり、図４（２）に示した薬画像Ａ−２は、薬剤名が“ｃｃ錠１０ｍｇ”の薬のシート画像（パッケージ画像）である。
【００１６】
図５は、服薬台帳１３ｃを説明するための図である。
お薬手帳やお薬シールには、患者の氏名、生年月日、血液型、住所などの基本情報やアレルギー体質などの情報のほか、薬剤名、処方量、服用方法、処方日などの薬に関する情報が記録されている。また、服薬台帳１３ｃには、この薬に関する情報が記憶されている。すなわち、服薬台帳１３ｃは、「調剤薬局／医療機関」、「薬剤名」、「薬区分」、「服用朝」、「服用昼」、「服用夕」、「服用区分」、「服用量」、「服用間隔」、「服用開始日」、「服用終了日」、「投薬量」、「残量」、「基準値」、「画像リンク」の各項目を有している。「薬区分」には、“１：通常服用”、“２：頓服”のいずれかが記憶される。「服用朝」、「服用昼」、「服用夕」には、“服用する”、“頓服しない”のいずれかが記憶される。「服用区分」には、“１：食前”、“２：食後”、“３：食間”、“４：就寝前”、“５：一定間隔”、“６：非常時（都度）”のいずれかが記憶される。
【００１７】
そして、服薬台帳１３ｃは、異なる調剤薬局又は医療機関から発行された複数のお薬手帳でも、それらをまとめて一元管理するようにしている。例えば、眼科の病院、耳鼻咽喉科の病院、皮膚科の病院の調剤薬局で発行されたお薬手帳でもそれらを統合して記憶管理するようにしている。そして、ＣＰＵ１１は、新たなお薬手帳の内容が服薬台帳１３ｃに追加記憶される毎に、この服薬台帳１３ｃの内容に基づいて服用スケジュールを作成して、服用スケジュールテーブル１３ｅの内容を更新するようにしている。
【００１８】
図６は、服用スケジュールテーブル１３ｅを説明するための図である。
服用スケジュールテーブル１３ｅは、「服用時期」、「時間帯」、「服用薬剤数（ｎ）」、「服用量（１）」、「薬剤名（１）」、「服用量（２）」、「薬剤名（２）」、…、「服用量（ｎ）」、「薬剤名（ｎ）」の各項目を有している。「服用時期」及び「時間帯」は、薬の服用時間帯を示し、「服用時期」は、“朝食前”、“朝食後”、“朝食間”、“昼食前”、“昼食後”、“昼食間”、“夕食前”、“夕食後”、“夕食間”、“就寝前”、“一定間隔”に区分されている。「時間帯」は、“朝食前”、“朝食後”〜“一定間隔”を患者に応じて任意に設定した時間帯である。
【００１９】
ＣＰＵ１１は、服用スケジュールテーブル１３ｅ及び時計機能により得られた現在日時を定期的に参照することによって、薬の服用時期、つまり、服用時間帯であるか否かを判別し、服用時間帯であれば、服用する薬毎にその種類と用量を示す画像を生成して携帯端末装置２に通知（服薬通知）するようにしている。この薬の種類と用量を示す画像は、薬パッケージ（１シート状のＰＴＰ包装）を撮影した薬画像（シート画像）の全体の中から用量に応じた個数分のパックを切り取ることによって生成した生成画像（パック画像）である。
【００２０】
図７は、携帯端末装置２の基本的な構成要素を示したブロック図である。
携帯端末装置２は、通信機能としての通話機能・インターネット接続機能（Ｗｅｂアクセス機能）・電子メール機能のほか、現在日時を計時する時計機能、カメラ機能など、各種の機能を備え、最寄りの基地局（図示省略）を介して他の携帯電話機（図示省略）に接続されると、この他の携帯電話機との間で通話可能な状態となり、また、無線通信網を介してインターネット（図示省略）に接続されると、電子メールの送受信が可能となったり、Ｗｅｂページを閲覧可能となったりする。ＣＰＵ２１は、電源部２２からの電力供給によって動作し、記憶部２３内の各種のプログラムに応じてこの携帯端末装置２の全体動作を制御する。記憶部２３は、例えば、ＲＯＭ、フラッシュメモリなどを有する構成で、後述する図１０に示した動作手順に応じて本実施形態を実現するためのプログラムや各種のアプリケーションなどが格納されているプログラムメモリ２３ａを有している。
【００２１】
ＣＰＵ２１には、その入出力デバイスとして操作部２４、タッチ表示部２５、無線通信部２６、電話部２７、カメラ部２８が接続され、入出力プログラムにしだかってそれの動作を制御する。タッチ表示部２５は、タッチパネルを備えた表示部である。無線通信部２６は、通話機能、電子メール機能、インターネット接続機能などの動作時に最寄りの基地局との間でデータの送受信を行うもので、通話機能の動作時には電話部２７を介して音声の入出力を行う。カメラ部２８は、静止画撮影を行うデジタルカメラである。薬管理装置１から服薬通知を受けた場合にＣＰＵ２１は、その服薬通知を受信してその端末画面（タッチ表示部２５）に表示させると共に、カメラ部２８によって服用する薬を撮影すべきことを案内表示するようにしている。
【００２２】
図８（１）は、薬管理装置１から受信した服薬通知を携帯端末装置２の端末画面に表示した状態を示した図、図８（２）は、服用する薬を撮影する様子を示した図、図８（３）は、画像の比較を例示した図である。
図８（１）の例において服薬通知の画面には、服用日として“１１月１９日”、服用時期として“朝食後”、服用する薬（第１の薬）として“ａａ錠１００ｍｇ、２錠”の文字列と、その薬の種類と用量を示した生成画像（パック画像）が表示され、更に、服用する薬（第２の薬）として“ｃｃ錠１０ｍｇ、２錠”の文字列と、その薬の種類と用量を示した生成画像（パック画像）が表示されている。
【００２３】
また、服薬通知の画面には、メッセージこの通知内容にしたがって薬を用意し、確認のために飲む薬を並べて写真を撮ることを促すメッセージが表示される。このメッセージを確認した患者は、図８（２）に示すように、その通知内容にしたがって該当する薬を薬袋から取り出して並べ、携帯端末装置２のカメラ部２８で撮影する。図８（３）は、薬を服用する前に撮影した画像と、薬の種類と用量を示した生成画像（パック画像）との比較を例示した図で、ａａ錠の薬が１錠分不足している場合を示している。
【００２４】
このように本実施形態の薬管理装置（パーソナルコンピュータ）１は、調剤薬局又は医療機関で調剤された各薬の服用に関する情報を記憶管理する患者側の薬管理装置であって、前記調剤された各薬の服用に関する情報とその各薬を撮影した薬の撮影画像を対応付けて記憶する薬情報記憶手段（ＣＰＵ１１、プログラムメモリ１３ａ、服薬台帳１３ｃ）と、前記薬情報記憶手段に記憶されている各薬の服用に関する情報に基づいて服用スケジュールを作成する作成手段（ＣＰＵ１１、プログラムメモリ１３ａ、服用スケジュールテーブル１３ｅ）と、日時情報を計時する時計手段（ＣＰＵ１１、プログラムメモリ１３ａ）と、前記作成手段によって作成された服用スケジュールと前記時計手段で計時された日時情報とを照合して服用時間帯（服用時期、時間帯）であるか否かを判別する判別手段（ＣＰＵ１１、プログラムメモリ１３ａ）と、前記判別手段によって服用時間帯であることが判別された場合に、服用する薬毎にその種類と用量を画像によって通知する通知手段（ＣＰＵ１１、プログラムメモリ１３ａ、広域通信部１６）と、を備える構成となっている。
【００２５】
また、本実施形態の携帯端末装置（スマートフォン）２は、調剤薬局又は医療機関で調剤された各薬の服用に関する情報を記憶管理する患者側の薬管理装置１に通信ネットワーク（インターネット３、無線通信網４）を介して接続可能な患者所持の携帯端末装置であって、前記薬管理装置１から服用時間帯に服用する薬毎にその種類と用量が画像によって通知された際に、その通知画像を当該端末画面に表示させる第１の表示制御手段（ＣＰＵ２１、プログラムメモリ２３ａ、タッチ表示部２５、無線通信部２６）と、薬を服用する際にその薬を撮影する撮影手段（ＣＰＵ２１、プログラムメモリ２３ａ、カメラ部２８）と、前記撮影手段によって撮影された服薬画像と前記薬管理装置１からの通知画像とを照合して正しい服用であるか否かを判別する判別手段（ＣＰＵ２１、プログラムメモリ２３ａ）と、前記判別手段による判別結果と服用すべき薬の画像を表示させる第２の表示制御手段（ＣＰＵ２１、プログラムメモリ２３ａ、タッチ表示部２５、）と、を備える構成となっている。
【００２６】
次に、本実施形態における薬管理装置１、携帯端末装置２の動作概念を図９及び図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２７】
図９は、電源投入に応じて実行開始される薬管理装置１の動作（本実施形態の特徴的な動作）を説明するためのフローチャートである。
先ず、薬管理装置１のＣＰＵ１１は、電源投入に応じて初期化処理（図示省略）を行った後、お薬手帳／お薬シールの登録を指示するキー操作が行われたかを調べたり（ステップＡ１）、服用スケジュールと現在時刻とを照合する照合タイミング（例えば、１分間隔）に到達したかを調べたり（ステップＡ２）、携帯端末装置２から薬を服用した旨の服用通知を受信したかを調べたり（ステップＡ３）、携帯端末装置２からお薬手帳の送信が要求されたかを調べたりする（ステップＡ４）。
【００２８】
いま、調剤薬局や医療機関から自宅に戻った患者は、今回、お薬手帳／お薬シールに記載された内容を登録するために、お薬手帳／お薬シール（以下、お薬手帳と呼ぶ）の登録を指示するキーを操作すると共に、お薬手帳をスキャナ部１７に載置させて今回の処方内容（記載内容）を読み取らせる。ＣＰＵ１１は、お薬手帳の登録が指示されたことを検出すると（ステップＡ１でＹＥＳ）、スキャナ部１７を駆動させてお薬手帳から今回の記載内容を読み取らせる（ステップＡ５）。そして、読み取った画像（お薬手帳の画像）をＯＣＲ処理してテキストデータに変換し（ステップＡ６）、服薬台帳１３ｃに追加登録する処理を行うと共に、読み取った画像（お薬手帳の画像）を画像メモリ１３ｄに追加登録する処理を行う（ステップＡ７）。
【００２９】
次に、患者は、薬袋から今回の調剤された薬を種類毎に取り出し、スキャナ部１７又は別のカメラ装置を使用して、その薬パッケージ（１シート状のＰＴＰ包装）を薬の種類毎に撮影する。ＣＰＵ１１は、撮影された薬画像（シート画像）を取得すると（ステップＡ８）、この薬画像（シート画像）を画像メモリ１３ｄに登録するが（ステップＡ９）、その際、画像メモリ１３ｄに登録した薬画像（シート画像）と服薬台帳１３ｃの登録内容とを対応付けるために画像メモリ１３ｄの格納先を示す“画像リンク”を生成して服薬台帳１３ｃに登録する（ステップＡ１０）。そして、服薬台帳１３ｃの今回の登録内容に基づいて新たな服用スケジュールを生成して服用スケジュールテーブル１３ｅの内容を更新する処理を行う（ステップＡ１１）。その後、ステップＡ１に戻る。
【００３０】
また、服用スケジュールと現在時刻を照合する照合タイミングに到達したときには（ステップＡ２でＹＥＳ）、現在時刻を取得して服用スケジュールテーブル１３ｅ内の「時間帯」と照合し（ステップＡ１２）、いずれかの時間帯（服薬時期）に該当しているかを調べる（ステップＡ１３）。いま、いずれの時間帯（服薬時期）にも該当していなければ（ステップＡ１３でＮＯ）、最初のステップＡ１に戻るが、いずれかの時間帯（服薬時期）に該当していれば（ステップＡ１３でＹＥＳ）、服用する薬の種類及び用量を示す画像（パック画像）を生成する処理に移る（ステップＡ１４）。
【００３１】
すなわち、服用スケジュール内の服用に関する情報として「服用薬剤数（ｎ）」、「服用量」、「薬剤名」を参照し、その「薬剤名」が示す薬画像（シート画像）の全体の中から「服用量」に応じた個数分のパックを切り取ることによってパック画像を生成する動作を「服用薬剤数（ｎ）」分繰り返して実行する。これによって服用薬剤数分のパック画像が生成される。なお、パック画像は、「服用量」が複数個の場合には、その個数分の薬が連結された状態の画像となる。そして、上述のようにして薬毎に生成した各パック画像を含む服薬通知を携帯端末装置２に通知する（ステップＡ１５）。その後、最初のステップＡ１戻る。
【００３２】
図１０は、電源投入に応じて実行開始される携帯端末装置２の動作（本実施形態の特徴的な動作）を説明するためのフローチャートである。
先ず、携帯端末装置２のＣＰＵ２１は、電源投入に応じて初期化処理（図示省略）を行った後、薬管理装置１から服薬通知を受信したかを調べたり（ステップＢ１）、お薬手帳の要求を指示するユーザ操作が行われたかを調べたり（ステップＢ２）、薬管理装置１から残量通知を受信したかを調べたりする（ステップＢ３）。いま、薬管理装置１から服薬通知を受信したときには（ステップＢ１でＹＥＳ）、その服薬通知の内容を端末画面に表示させる（ステップＢ４）。これによって例えば、図８（１）に示すように服用する薬の種類と用量を示す文字列と共に、その薬の種類と用量を示す画像（図示の例では、２種類の薬のパック画像）が表示される。
【００３３】
ここで、患者は、薬の服用に先だって、図８（２）に示すように、服薬通知の画面内の撮影を促すメッセージにしたがって該当する薬を薬袋から取り出して並べ、携帯端末装置２のカメラ部２８で撮影すると、ＣＰＵ２１は、その撮影画像を取得して（ステップＢ５）、その撮影画像と受信した服薬通知内のパック画像とを比較照合して（ステップＢ６）、正しい服薬か否かを調べる（ステップＢ７）。すなわち、パック画像内の薬と撮影画像内の薬を照合して、それらの形状、配色、模様、文字などが一致しているか、つまり、同一種類の薬であるか否かを判別し、同一の薬であれば、その個数を計数して同じ数であるか否かを判別する動作を薬の種類毎に繰り返す。これによって両者が完全に一致していれば、正しい服薬であると認識する。
【００３４】
図８（３）の例は、服用のために用意した薬が不足している場合であるから、正しくない服薬（間違った服薬）であると判別されるため（ステップＢ７でＮＯ）、次のステップＢ８に移り、その間違えた箇所を検出する。すなわち、薬の種類が違う箇所、種類が同じでも数が異なる箇所、他の種類の薬が混ざっていれば、その箇所を検出する。この場合、ａａ錠の薬が１錠分不足しているので、その箇所が検出される。そして、服薬通知の画面には間違えた服薬であることを示すエラーメッセージと共に間違えた箇所が識別表示される（ステップＢ９）。
【００３５】
図１１（１）は、服薬を間違えた場合の服薬通知の画面を示し、エラーメッセージとして“エラー：用量が間違っています。正しい量にして下さい”が表示されると共に、“エラー”の文字列及び間違えたパック画像の近辺が点滅表示される。その後、ステップＢ５に戻る。ここで、患者は、エラー画面を確認して間違えた薬を補充したり、除いたりしてその過不足を正して再度、薬の撮影を行う。これによって再度、上述の画像比較を行い（ステップＢ６）、正しい服薬か否かを調べる（ステップＢ７）。
【００３６】
いま、正しい服薬であると判別されたときには（ステップＢ７でＹＥＳ）、服薬通知の画面に正しい服薬であることを示すＯＫメッセージを表示させる（ステップＢ１０）。図１１（２）は、服薬が正しい場合の服薬通知の画面を示し、ＯＫメッセージとして“ＯＫ：間違いありません。飲んだら「完了」を押して下さい”表示される。そして、服薬通知の画面内の完了ボタンが操作されたかを調べ（ステップＢ１１）、完了ボタンが操作されるまで待機状態となる。いま、完了ボタンが操作されたときには（ステップＢ１１でＹＥＳ）、服用が完了したことの通知と、今回の服用（消費）によって各薬の残量を更新すべきことの残量通知を薬管理装置１に対して行う（ステップＢ１２）。その後、ステップＢ１に戻る。
【００３７】
薬管理装置１は、携帯端末装置２から完了通知及び残量通知を受信したときには（図９のステップＡ３でＹＥＳ）、その服用した薬に基づいて服薬台帳１３ｃを検索し、該当する薬の「残量」から今回の服用した用量を減算する残量更新処理を行う（ステップＡ１６）。そして、「残量」と「基準値」とを比較し、「残量」は「基準値」以下であるか、つまり、残り１日分のように「残量」が少なくなったかを調べる（ステップＡ１７）。ここで、「残量」が「基準値」を超えていれば（ステップＡ１７でＮＯ）、最初のステップＡ１に戻るが、「残量」が「基準値」以下であれば（ステップＡ１７でＹＥＳ）、「残量」が少なくなったことを示すための残量通知を携帯端末装置２に対して送信する（ステップＡ１８）。その後、最初のステップＡ１に戻る。この場合、ＣＰＵ１１は、どの種類の薬が少なくなったのか、その残量はどのくらいか、どこの調剤薬局／医療機関であるかの情報を含む残量通知を作成して送信する。
【００３８】
携帯端末装置２は、薬管理装置１から残量通知を受信すると（図１０のステップＢ３でＹＥＳ）、受信した残量通知の内容を警告表示させる（ステップＢ１７）。この場合、患者は、どの薬の残量が少ないかを判断して、その調剤薬局／医療機関に出向いたり、電話やメールで予約したりする。
一方、携帯端末装置２は、医療機関に出向いて診察を受けた場合に、今回の処方箋と共にお薬手帳を提示する時点で、お薬手帳を持参するのを忘れたことに気付いたときには、お薬手帳の送信を薬管理装置１に対して要求する（ステップＢ２でＹＥＳ）。例えば、お薬手帳の送信指示キー（図示省略）を操作すると、薬管理装置１に対してお薬手帳の送信を要求する（ステップＢ１３）。
【００３９】
この場合、薬管理装置１側では、携帯端末装置２からお薬手帳の送信が要求されると（図９のステップＡ４でＹＥＳ）、画像メモリ１３ｄから各お薬手帳の画像を読み出して薬管理装置１に対して送信する（図９のステップＡ１９）。
ここで、携帯端末装置２は、薬管理装置１から各お薬手帳の画像を受信すると、それを端末画面に表示させる（図１０のステップＢ１４）。そして、調剤薬局／医療機関にお薬手帳を提示するために送信提示キー（図示省略）が操作されたかを調べる（ステップＢ１５）。ここで、表示中のお薬手帳を調剤薬局／医療機関に見せるだけで、送信提示キーが操作されなかったときには（ステップＢ１５でＮＯ）、最初のステップＢ１に戻るが、送信提示キーが操作されたときには（ステップＢ１５でＹＥＳ）、各お薬手帳の画像を調剤薬局／医療機関側に対して送信する（ステップＢ１６）。その後、ステップＢ１に戻る。
【００４０】
以上のように、本実施形態において薬管理装置１は、調剤された各薬の服用に関する情報とその各薬を撮影した薬の撮影画像を対応付けて記憶する服薬台帳１３ｃと画像メモリ１３ｄを備え、この服薬台帳１３ｃの内容に基づいて作成した服用スケジュールと現在の日時情報とを照合して服用時間帯であるか否かを判別し、服用時間帯であれば、服用する薬毎にその種類と用量を画像によって通知するようにしたので、調剤された各薬を患者が服用する場合に薬の服用時期、その種類、用量を容易に確認することができ、直感的に分かり易くなり、薬の相互作用や大量服用という重大な危険性を未然に防ぐことが可能となる。
【００４１】
薬管理装置１は、服用する薬毎にその種類と用量を示した画像（パック画像）を、各薬の服用に関する情報（服用スケジュールの内容）と、薬パッケージ（１シート状のＰＴＰ包装）を撮影した薬画像（シート画像）に基づいて生成し、この国生成画像（パック画像）を通知するようにしたので、予め用意されている薬のサンプル画像（例えば、模式的な画像）ではなく、手持ちの薬を撮影した画像を基に生成した画像で薬の種類と用量を確認することができ、薬の種類を間違えたり、用量を間違えたりする誤認混同を適切に防ぐことが可能となる。
【００４２】
薬管理装置１は、患者所持の携帯端末装置２に通信ネットワークを介して薬毎の種類と用量を示す画像を通知するようにしたので、患者は外出先でも服薬通知を受けることができ、その薬の服用の忘れや遅れを防ぐことが可能となる。特に、携帯端末装置２のような小さな画面を瞬時に見る場合でも視認性が良いものとなる。
【００４３】
薬管理装置１は、各薬の服用に応じて更新される薬の残量を記憶する服薬台帳１３ｃを参照し、その残量が所定量以下となった場合に、その旨を携帯端末装置２に送信するようにしたので、患者にあっては例えば、外出先で薬の残量が残り少ないことを直ちに知ることができ、外出の途中で調剤薬局／医療機関に立ち寄って薬を補充することなどの対応が可能となる。
【００４４】
薬管理装置１は、異なる調剤薬局又は医療機関から発行された複数のお薬手帳を一元管理するめに入力された各お薬手帳の内容を記憶する服薬台帳１３ｃの内容に基づいて服用スケジュールを作成するようにしたので、複数のお薬手帳を持っていてもそれらを統合した服用スケジュールを作成することができ、薬の服用の忘れや遅れを防ぐことが可能となる。
【００４５】
患者所持の携帯端末装置２は、薬管理装置１から服用時間帯に服用する薬毎にその種類と用量が画像によって通知された際に、その通知された画像を当該端末画面に表示させると共に、薬を服用する際にその薬を撮影した画像と薬管理装置１から通知された画像とを照合して正しい服用であるか否かを判別し、その判別結果と服用すべき薬の画像を表示させるようにしたので、患者は薬管理装置１から通知された画像で服用すべき薬を確認できると共に、服用するために薬袋から取り出した薬は正しい薬であるのかを容易に確認することができ、より厳重な服用管理が可能となる。
【００４６】
携帯端末装置２は、薬毎にその服用量を薬管理装置１に送信して薬毎の残量の更新を指示するようにしたので、患者が外出中でも服用の度に薬の残量を更新することができ、厳重な残量管理が可能となる。
【００４７】
携帯端末装置２は、薬管理装置１に対してお薬手帳の送信を要求し、それに応答して受信したお薬手帳の送信を調剤薬局又は医療機関側に提示するようにしたので、調剤薬局又は医療機関に出向いたときにお薬手帳を忘れことに気付いた際には、薬管理装置１から取り寄せたお薬手帳を携帯端末装置２を介して調剤薬局又は医療機関側に提示することが可能となる。
【００４８】
なお、上述した実施形態において薬管理装置１は、薬の残量が所定量以下となった場合に、その旨を携帯端末装置２に送信するようにしたが、薬の残量が所定量以下となったことを調剤薬局又は医療機関側の端末装置に直接に通知するようにしてもよい。これによって薬切れを未然に防ぐことが可能となる。
【００４９】
上述した実施形態において携帯端末装置２は、図８（１）に示すように、薬管理装置１から受信した服薬通知をその端末画面に表示させた場合に、複数の薬に対応して薬の服用に関する情報（文字列情報）と薬の種類と用量を示す画像を並列的に表示するようにしたが、薬毎にその服用に関する情報や薬の画像を端末画面に切り替え表示させてもよい。図１２は、この切り替え表示を説明するための図で、図１２（１）は、服用する薬（第１の薬）として“ａａ錠１００ｍｇ、２錠”の文字列と、その薬の種類と用量を示した画像（パック画像）が表示された状態を示している。
【００５０】
この場合、図１２（１）に示したパック画像は、図８（１）で示した第１の薬のパック画像に比べて２倍以上に拡大されたものとなっている。この図１２（１）に示す画面には、服用すべき薬として次の薬が有れば、図示のように「次」ボタンが表示され、次の薬に関する画面に切り替えるためには「次」ボタンを操作すべきことがメッセージ表示される。図１２（２）は、「次」ボタンの操作に応じて切り替えられた画面で、服用する薬（第２の薬）として“ｃｃ錠１０ｍｇ、２錠”の文字列と、その薬の種類と用量を示した画像（パック画像）が表示された状態を示している。この場合、図１２（２）に示したパック画像は、図８（１）で示した第２の薬のパック画像に比べて２倍以上に拡大されたものとなっている。この図１２（１）に示す画面には、次の薬は無いので、図８（２）で示した撮影を促すメッセージが表示される。
【００５１】
上述した実施形態において薬管理装置１は、服用する薬毎にその種類と用量を画像によって通知する場合に、携帯端末装置２に通知するようにしたが、自身の表示部１５や外付けの表示装置に通知して表示させるようにしてもよい。
【００５２】
上述した実施形態においては、服用に関する情報としてお薬手帳の記載内容としたが、調剤薬局又は医療機関側から提供された薬袋の表紙の記載内容であってもよい。また、この薬袋の中に入っている用法説明の記載内容であってもよい。
また、上述した実施形態においては、お薬手帳の記載内容を文字認識してテキストデータに変換するようにしたが、キー操作によって文字列データを入力するようにしてもよい。
【００５３】
上述した実施形態においては、服用に関する情報としてお薬手帳の記載内容を患者側で入力するようにしたが、調剤薬局又は医療機関側の端末装置から患者所持の携帯端末装置２に無線通信などによって入力するようにしてもよい。また、同様に、薬の画像も調剤薬局又は医療機関側から患者所持の携帯端末装置２に無線通信などによって入力するようにしてもよい。
【００５４】
上述した実施形態においては、薬管理装置１としてパーソナルコンピュータを例示した場合を示したが、タブレット端末装置などであってもよく、更には薬管理装置１と携帯端末装置２とを分けずに、薬管理装置１の機能を携帯端末装置２に組み込むようにしてもよい。すなわち、携帯端末装置２は、調剤された各薬の服用に関する情報とその各薬を撮影した薬の撮影画像を対応付けた記憶管理し、この各薬の服用に関する情報に基づいて作成した服用スケジュールと現在の日時情報とを照合して服用時間帯であるか否かを判別し、服用時間帯であれば、服用する薬毎にその種類と用量を画像によって通知する機能と、薬毎にその種類と用量が画像によって通知した際に、その通知した画像を当該端末画面に表示し、薬を服用する際にその薬を撮影した画像と通知した画像とを照合して正しい服用であるか否かを判別し、その判別結果と服用すべき薬の画像を表示する機能と、を備えてもよい。
【００５５】
上述した実施形態においては、携帯端末装置２として、スマートフォンを例示したが、これに限らず、ＰＤＡ（個人向け携帯型情報通信機器）、デジタルカメラ、音楽プレイヤー、電子ゲームなどであってもよい。
【００５６】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５７】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
調剤薬局又は医療機関で調剤された各薬の服用に関する情報を記憶管理する患者側の薬管理装置であって、
前記調剤された各薬の服用に関する情報とその各薬を撮影した薬の撮影画像を対応付けて記憶する薬情報記憶手段と、
前記薬情報記憶手段に記憶されている各薬の服用に関する情報に基づいて服用スケジュールを作成する作成手段と、
日時情報を計時する時計手段と、
前記作成手段によって作成された服用スケジュールと前記時計手段で計時された日時情報とを照合して服用時間帯であるか否かを判別する判別手段と、
前記判別手段によって服用時間帯であることが判別された場合に、服用する薬毎にその種類と用量を画像によって通知する通知手段と、
を備えたことを特徴とする薬管理装置である。
（請求項２）
請求項２に記載の発明は、請求項１に記載の薬管理装置において、
前記服用する薬毎にその種類と用量を示した画像を、前記各薬の服用に関する情報と前記各薬を撮影した撮影画像に基づいて生成する画像生成手段を更に備え、
前記通知手段は、服用する薬毎に前記画像生成手段によって生成された画像を通知する、
ことを特徴とする薬管理装置である。
（請求項３）
請求項３に記載の発明は、請求項１又は請求項２に記載の薬管理装置において、
前記患者所持の携帯端末装置に通信ネットワークを介して接続する通信手段を更に備え、
前記通知手段は、服用する薬毎にその種類と用量を示す画像を前記携帯端末装置に通知する、
ことを特徴とする薬管理装置である。
（請求項４）
請求項４に記載の発明は、請求項３に記載の薬管理装置において、
前記薬情報記憶手段は、各薬の服用に応じて更新される薬の残量を更に記憶し、
前記薬の残量が所定量以下となった場合に、その旨を前記携帯端末装置に送信する送信手段を更に備える、
ことを特徴とする薬管理装置である。
（請求項５）
請求項５に記載の発明は、請求項４に記載の薬管理装置において、
前記送信手段は、薬の残量が所定量以下となった場合に、その旨を調剤薬局又は医療機関側の端末装置に対して送信する、
ことを特徴とする薬管理装置である。
（請求項６）
請求項６に記載の発明は、請求項１〜請求項５のいずれか１項に記載の薬管理装置において、
前記薬情報記憶手段は、異なる調剤薬局又は医療機関から発行された複数のお薬手帳を一元管理するめに入力された各お薬手帳の内容を記憶し、
前記作成手段は、前記薬情報記憶手段に一元管理されている複数のお薬手帳の内容に基づいて服用スケジュールを作成する、
ことを特徴とする薬管理装置である。
（請求項７）
請求項７に記載の発明は、において、
調剤薬局又は医療機関で調剤された各薬の服用に関する情報を記憶管理する患者側の薬管理装置に通信ネットワークを介して接続可能な患者所持の携帯端末装置であって、
前記薬管理装置から服用時間帯に服用する薬毎にその種類と用量が画像によって通知された際に、その通知された画像を当該端末画面に表示させる第１の表示制御手段と、
薬を服用する際にその薬を撮影する撮影手段と、
前記撮影手段によって撮影された画像と前記薬管理装置から通知された画像とを照合して正しい服用であるか否かを判別する判別手段と、
前記判別手段による判別結果と服用すべき薬の画像を表示させる第２の表示制御手段と、
を備えたことを特徴とする携帯端末装置である。
（請求項８）
請求項８に記載の発明は、請求項７に記載の携帯端末装置において、
薬毎にその服用量を前記薬管理装置に送信して薬毎の残量の更新を指示する更新指示手段を更に備える、
ことを特徴とする携帯端末装置である。
（請求項９）
請求項９に記載の発明は、請求項７又は請求項８に記載の携帯端末装置において、
調剤薬局又は医療機関から発行されたお薬手帳を記憶管理する薬管理装置に対してお薬手帳の送信を要求してお薬手帳を受信するお薬手帳取得手段と、
前記お薬手帳取得手段によって受信したお薬手帳を調剤薬局又は医療機関側に提示するお薬手帳提示手段と、
を更に備える、
ことを特徴とする携帯端末装置である。
（請求項１０）
請求項１０に記載の発明は、
調剤薬局又は医療機関で調剤された各薬の服用に関する情報を記憶管理する患者側の薬管理装置のコンピュータを制御するためのプログラムであって、
前記コンピュータを、
前記調剤された各薬の服用に関する情報とその各薬を撮影した薬画像を対応付けて記憶する薬情報記憶手段、
前記薬情報記憶手段に記憶されている各薬の服用に関する情報に基づいて服用スケジュールを作成する作成手段、
日時情報を計時する時計手段、
前記作成手段によって作成された服用スケジュールと前記時計手段で計時された日時情報とを照合して服用時間帯であるか否かを判別する判別手段、
前記判別手段によって服用時間帯であることが判別された場合に、服用する薬毎にその種類と用量を画像によって通知する通知手段、
として機能させるようにしたコンピュータ読み取り可能なプログラムである。
（請求項１１）
請求項１１に記載の発明は、
調剤薬局又は医療機関で調剤された各薬の服用に関する情報を記憶管理する患者側の薬管理装置に通信ネットワークを介して接続可能な患者所持の携帯端末装置のコンピュータを制御するためのプログラムであって、
前記コンピュータを、
前記薬管理装置から服用時間帯に服用する薬毎にその種類と用量が画像によって通知された際に、その通知画像を当該端末画面に表示させる第１の表示制御手段、
薬を服用する際にその薬を撮影する撮影手段、
前記撮影手段によって撮影された服薬画像と前記薬管理装置からの通知画像とを照合して正しい服用であるか否かを判別する判別手段、
前記判別手段による判別結果と服用すべき薬の画像を表示させる第２の表示制御手段、
として機能させるようにしたコンピュータ読み取り可能なプログラムである。
【符号の説明】
【００５８】
１  患者側の薬管理装置
２  患者所持の携帯端末装置
３  インターネット
４  無線通信網
１１、２１  ＣＰＵ
１３、２３  記憶部
１３ａ、２３ａ  プログラムメモリ
１３ｃ  服薬台帳
１３ｄ  画像メモリ
１３ｅ  服用スケジュールテーブル
１４、２４  操作部
１５  表示部
１６  広域通信部
１７  スキャナ部
２５  タッチ表示部
２６  無線通信部
２８  カメラ部
【図１】
2015118444.tif 000003
【図２】
2015118444.tif 000004
【図３】
2015118444.tif 000005
【図４】
2015118444.tif 000006
【図５】
2015118444.tif 000007
【図６】
2015118444.tif 000008
【図７】
2015118444.tif 000009
【図８】
2015118444.tif 000010
【図９】
2015118444.tif 000011
【図１０】
2015118444.tif 000012
【図１１】
2015118444.tif 000013
【図１２】
2015118444.tif 000014